【事件の表示】
　平成　９年特許願第１３３０６４号「画像読み取り装置」拒絶査定に対する審判事件［平成１０年１２月　８日出願公開、特開平１０−３２７２９３］について、次のとおり審決する。
【結　論】
　本件審判の請求は、成り立たない。
【理　由】
１．手続の経緯
　本願は、平成９年５月２３日の出願であって、平成１４年５月２３日付の拒絶理由通知書が通知され、平成１４年７月２４日付で意見書と手続補正書が提出され、平成１４年８月１２日付けでなされた拒絶査定に対し、平成１４年９月１９日に審判請求がなされるとともに、平成１４年１０月２１日付けで明細書についての手続補正がなされたものである。
　
２．平成１４年１０月２１日付けの手続補正についての補正却下の決定
　
［補正却下の決定の結論］
　　平成１４年１０月２１日付けの明細書についてした手続補正を却下する。
　
［理由］
（１）補正後の本願発明
　本件補正は、特許請求の範囲の請求項１〜請求項３を、
「【請求項１】　異なるサイズの原稿に対応した画情報を受けて所定の電荷を蓄積する画素部が複数配置された受光手段と、
　前記受光手段の画素部の配列に沿って各画素部に対応して配置されるとともに、出力回路側の端を共通の起点とし、前記異なるサイズに対応した複数の制御領域に区分けされ、読み取り対象となる原稿のサイズに対応した制御領域以外の制御領域に対応する画素部の電荷を排出する制御を行う電荷排出手段と、
　前記受光手段の画素部の配列に沿って各画素部に対応して配置され、前記電荷排出手段で電荷の排出が行われなかった制御領域に対応する画素部の電荷を得て、前記読み取り対象となる原稿のサイズに対応した転送クロック数により前記電荷を順次出力回路方向へ転送する転送手段と、
　前記転送手段で転送された電荷に対応する信号の補正を、前記電荷排出手段で電荷排出した区分けに応じて行う補正手段と
　を備えることを特徴とする画像読み取り装置。
【請求項２】　異なるサイズの原稿に対応した画情報を受けて所定の電荷を蓄積する画素部が複数配列された受光手段と、
　前記受光手段の画素部の配列に沿って各画素部に対応して配置されるとともに、出力回路側の端を共通の起点とし、前記異なるサイズに対応して複数の制御領域に区分けされ、読み取り対象となる原稿のサイズに対応した制御領域と対応する画素部の電荷を読み出す制御を行う読み出し手段と、
　前記受光手段の画素部の配列に沿って各画素部に対応して配置され、前記読み出し手段から読み出された電荷を得て、前記原稿のサイズに対応した転送クロック数により前記電荷を順次出力回路方向へ転送する転送手段と、
　前記転送手段で転送された電荷に対応する信号の補正を、前記電荷排出手段で電荷排出した区分けに応じて行う補正手段と
　を備えることを特徴とする画像読み取り装置。
【請求項３】　前記制御領域の区分けに応じた電荷の読み取り速度増加に応じて原稿への照明光量の増加を行う
　ことを特徴とする請求項１または２に記載の画像読み取り装置。」
と補正するものを含むものである。
　　
（２）補正後の請求項２について
　そして、この請求項２についての補正は、平成１４年７月２４日付の手続補正により補正された請求項２について、
「【請求項２】　画情報を受けて所定の電荷を蓄積する画素部が複数並ぶ受光手段と、
　前記受光手段に沿って配置され、前記受光手段の各画素部に蓄積した電荷を得て順次出力回路方向へ転送する転送手段と、
　前記受光手段と前記転送手段との間に配置されるとともに、前記受光手段に沿って複数の制御領域に区分けされ、読み取り対象となる原稿のサイズに対応した電荷のみを前記転送手段へ転送するよう前記受光手段の複数の画素部から前記転送手段への電荷読み出しをその区分けに応じて制御する読み出し手段と、
　前記転送手段で転送された電荷に対応する信号の補正を、前記読み出し手段で電荷読み出しした区分けに応じて行う補正手段と
　を備えることを特徴とする画像読み取り装置。」を
上記のように、
「【請求項２】　異なるサイズの原稿に対応した画情報を受けて所定の電荷を蓄積する画素部が複数配列された受光手段と、
　前記受光手段の画素部の配列に沿って各画素部に対応して配置されるとともに、出力回路側の端を共通の起点とし、前記異なるサイズに対応して複数の制御領域に区分けされ、読み取り対象となる原稿のサイズに対応した制御領域と対応する画素部の電荷を読み出す制御を行う読み出し手段と、
　前記受光手段の画素部の配列に沿って各画素部に対応して配置され、前記読み出し手段から読み出された電荷を得て、前記原稿のサイズに対応した転送クロック数により前記電荷を順次出力回路方向へ転送する転送手段と、
　前記転送手段で転送された電荷に対応する信号の補正を、前記電荷排出手段で電荷排出した区分けに応じて行う補正手段と
　を備えることを特徴とする画像読み取り装置。」
と補正するものである。
　その「補正手段」については、「前記転送手段で転送された電荷に対応する信号の補正を、
前記読み出し手段で電荷読み出しした
前記電荷排出手段で電荷排出した
　この補正は、補正前の請求項２の減縮を目的とするものではないし、誤記の訂正、明りょうでない記載の釈明を目的とする補正でもない。
　
（３）むすび
　したがって、本件補正は、特許法第１７条の２第４項の規定に違反するものであり、特許法第１５９条第１項で準用する特許法第５３条第１項の規定により却下されるべきものである。
　
３．本願発明について
（１）本願請求項２に係る発明
　平成１４年１０月２１日付けの手続補正は上記のとおり却下されたので、本願の請求項２に係る発明（以下「本願発明」という。）は、平成１４年７月２４日付けの手続補正書の特許請求の範囲の請求項２に記載された以下のとおりのものである。
「【請求項２】　画情報を受けて所定の電荷を蓄積する画素部が複数並ぶ受光手段と、
　前記受光手段に沿って配置され、前記受光手段の各画素部に蓄積した電荷を得て順次出力回路方向へ転送する転送手段と、
　前記受光手段と前記転送手段との間に配置されるとともに、前記受光手段に沿って複数の制御領域に区分けされ、読み取り対象となる原稿のサイズに対応した電荷のみを前記転送手段へ転送するよう前記受光手段の複数の画素部から前記転送手段への電荷読み出しをその区分けに応じて制御する読み出し手段と、
　前記転送手段で転送された電荷に対応する信号の補正を、前記読み出し手段で電荷読み出しした区分けに応じて行う補正手段と
　を備えることを特徴とする画像読み取り装置。」
　
（２）引用刊行物記載の発明
　　原査定の拒絶の理由に引用文献２として引用された特開平９−１１６６８７号公報（平成９年５月２日、以下「引用刊行物」という。）には、次の事項が記載されている。
（ａ）【特許請求の範囲】に
「【請求項１】　読み取ったイメージを表す多数の電荷を転送するための電荷転送レジスタを備えたイメージセンサにおいて、
　前記電荷転送レジスタに隣接して形成されたトリミングゲートと、
　前記トリミングゲートに隣接して形成されたトリミング用ドレインとを備えたことを特徴とするイメージセンサ。
【請求項２】　請求項１記載のイメージセンサにおいて、
　前記電荷を生成する光電変換素子の１次元アレイと、
　前記アレイの一方の側に隣接して形成されたシャッタゲートと、
　前記シャッタゲートに隣接して形成されたシャッタ用ドレインとを更に備えたことを特徴とするイメージセンサ。
【請求項３】　互いに隣接して配置された、複数の色成分をそれぞれ読み取るための複数のモジュールを備えたカラーイメージセンサにおいて、
　前記モジュールの各々が、
　イメージの対応色成分を表す多数の電荷を生成する光電変換素子の１次元アレイと、
　前記アレイから前記電荷を受取ってシリアル転送する電荷転送レジスタと、
　前記アレイの一方の側に隣接して形成されたシャッタゲートと、
　前記シャッタゲートに隣接して形成されたシャッタ用ドレインと、
　前記電荷転送レジスタに隣接して形成されたトリミングゲートと、
　前記トリミングゲートに隣接して形成されたトリミング用ドレインとを有し、
　更に、隣接し合うモジュールの一方のシャッタ用ドレインが他方のトリミング用ドレインを兼ねていることを特徴とするカラーイメージセンサ。
【請求項４】　イメージセンサとこのイメージセンサ用の駆動装置とを備えた画像読取装置において、
　前記イメージセンサが、
　イメージを表す多数の電荷を転送するための電荷転送レジスタと、
　前記電荷転送レジスタに隣接して形成されたトリミングゲートと、
　前記トリミングゲートに隣接して形成されたトリミング用ドレインとを有し、
　前記駆動装置が、
　読み取るべきイメージに対応する電荷を前記電荷転送レジスタから出力するのに必要なクロック信号数の範囲で、前記電荷転送レジスタを駆動する手段と、
　前記電荷転送レジスタより前記読み取るべきイメージ領域に対応する電荷が全て出力され終わったときに、前記電荷転送レジスタ内の不要電荷を前記トリミング用ドレインに排出するために、前記トリミングゲートを開く手段とを有することを特徴とする画像読取装置。」
（ｂ）【０００１】に
「【発明の属する技術分野】本発明は、光電変換素子のアレイと、このアレイの各素子から電荷を受取り転送する電荷転送装置とを半導体基板上に備えた電荷転送型のイメージセンサに関する。」
（ｃ）【０００２】に
「【従来の技術】この種のイメージセンサとして、図１(a)に示すような構造の１次元イメージセンサが知られている。この従来のセンサは、半導体基板上に形成された多数の光電変換素子（例えばフォトダイオード）の一次元アレイ２を有し、このフォトダイオードアレイ２の一方の側にこのアレイ２に沿って、トランスファゲート４及び電荷転送レジスタ（例えばＣＣＤレジスタ）６が形成され、また、反対側には同様にアレイ２に沿って、ゲート８及びドレイン１０が形成されている。ここで、ゲート８は、カメラのシャッタのように、イメージをセンスする時間を制限する働きをするため、以下、シャッタゲートと呼ぶことにする。」
（ｄ）【０００４】に
「シャッタゲート８が開いている期間では、アレイ２の各フォトダイオードで受光量に応じて発生した電荷は全てドレイン１０に排出される。つまり、イメージがセンスされない。続くシャッタゲート８が閉じている期間では、受光量に応じた電荷が各ダイオードに蓄積される。つまり、この期間にラインのイメージがセンスされる。その後、所定の電荷蓄積期間が経過すると、トランスファゲート４が開き、ダイオードアレイ２に蓄積された電荷がＣＣＤレジスタ６にパラレルに転送される。その後、シャッタゲート８は再び上記の開閉動作を繰り返し、ダイオードアレイ２には次ラインの電荷が蓄積され、一方、ＣＣＤレジスタ６は先程受け取った電荷を後段へシリアルに転送しつつ逐次に出力する。
（ｅ）【０００８】、【０００９】に
「【０００８】従って、本発明の目的は、電荷転送型のイメージセンサにおいて、読み取るべき領域のサイズに応じ、できるだけ短時間でその領域のイメージの電荷を転送し終わるようにすることにある。
【０００９】【課題を解決するための手段】本発明のイメージセンサでは、電荷転送レジスタに隣接して、追加のゲートとドレインとが形成されている。この追加のゲートが開くと、電荷転送レジスタ内の電荷が追加のドレインへ一気に排出されて、電荷転送レジスタが空になる。従って、読み取るべき領域のサイズが小さい時、その領域をカバーする範囲の電荷だけ電荷転送レジスタから出力した時点で、追加のゲートを開くことにより、電荷転送レジスタに残っている上記領域外の不要な電荷を一気に排出することができる。よって、それら不要電荷を電荷転送レジスタ上で更にシリアル転送しなくて済むことになり、直ちに次の読取動作に入れるので、イメージの読取時間が短縮される。」
（ｆ）【００１１】に
「【発明の実施の形態】図２は本発明の一実施形態にかかる１次元イメージセンサの平面構造を示す。このイメージセンサは、カラー読取のためのものであって、レッド（Ｒ）、グリーン（Ｇ）及びブルー（Ｂ）の３原色成分をそれぞれ読み取るための３つのモジュール２０Ｒ、２０Ｇ、２０Ｂを単一の半導体基板上に有している。これらのモジュール２０Ｒ、２０Ｇ、２０ＢはＲ、Ｇ、Ｂの順序で近接して平行に配置されている。」
（ｇ）【００１２】に
「個々のモジュール２０Ｒ、２０Ｇ、２０Ｂの構成はいずれも基本的には同じである。そこで、Ｒ用のモジュール２０Ｒを例にとり説明すると、多数のフォトダイオードの１次元アレイ２２Ｒがあり、このアレイ２２Ｒの一方の側にはこのアレイ２２Ｒに沿って、トランスファゲート２４ＲとＣＣＤレジスタ２６Ｒが形成され、他方の側には同様にアレイ２２Ｒに沿って、シャッタゲート２８Ｒとドレイン３０Ｒが形成されている。ここまでの構成は図１に示した従来のそれと同様である。従来の構成と異なる点は、ＣＣＤレジスタ２６Ｒのトランスファゲート２４Ｒとは反対の側に、ＣＣＤレジスタ２６Ｒに沿って、更に追加のゲートが３２Ｒが形成されている点である。そして、この追加のゲート３２Ｒは、隣のＧ用モジュール２０Ｇのドレイン３０Ｇに隣接している。この追加のゲート３２Ｒは、後述するように、ＣＣＤレジスタ２６Ｒ内の不要な電荷を一気にドレイン３０Ｇへ排出する機能、つまり不要電荷のトリミング機能を果たすものであるため、以下、トリミングゲートと呼ぶことにする。」
（ｈ）【００１８】に
「図３の（Ａ）と（Ｂ）の区間では、高周波のクロック信号（ＣＬＫ）に同期してＣＣＤレジスタ２６Ｒ内の電荷がレジスタ２６Ｒに沿ってシリアル転送され、ＣＣＤレジスタ２６Ｒから逐次に出力される。このとき、ＣＬＫ信号は、読み取るべきライン長に相当するフォトダイオード個数だけ出力される。例えば、最大ライン長８．５インチを最高解像度６００ｄｐｉで読み取ることができるように正味５１００個のフォトダイオードがアレイ２２Ｒ内に存在する場合、原稿サイズが小さいために例えば１個目から２０００個目までのフォトダイオードの範囲で原稿のライン長がカバーされる場合には、ＣＬＫ信号は２０００個だけ出力されるので、１個目から２０００個目までの電荷だけがＣＣＤレジスタ２６Ｒから出力され、２００１個目以上の不要な電荷はＣＣＤレジスタ２６Ｒ内に残存する。」
（ｉ）【００１９】に
「この後、トリミング信号が所定時間幅だけハイレベルとなり、そのハイレベルの間だけ、トリミングゲート３２Ｒが開く。このときのエネルギーレベルを図４（Ｃ）に示す。図３の（Ｃ）に対応している。ここに示すように、ＣＣＤレジスタ２６Ｒ内に残存していた不要電荷が一斉にドレイン３０Ｇに排出され、ＣＣＤレジスタ２６Ｒは一瞬に空になる。こうして、不要の電荷をＣＣＤレジスタ２６Ｒから一気に消去することより、それらをシリアル転送する時間の無駄を省き、直ちに次ラインの読取動作に入れる状態となる。結果として、原稿サイズが小さい時は、そのライン長に応じてラインの読み取り時間（つまり、ＴＧ信号の周期）を短縮することができるようになり、高速のイメージ読取が可能となる。」
（ｊ）【００２０】に
「図５は、以上のような１次元イメージセンサ２０を用いたイメージスキャナ５０の構成を示す。ホストコンピュータ５２からの読取コマンドはインタフェース回路５４を通じて画像処理制御部５６に受け取られる。読取コマンドには、原稿台（図示せず）上のどの領域を読み取るかを指定するデータ（例えば、矩形の読取領域の原点の座標や縦横の辺の長さなど）が含まれている。画像処理制御部５６は、そのデータに基づいて、ＴＧ信号の周期や出力個数、及び各周期でのＣＬＫ信号の出力個数などを決める。」
（ｋ）【００２２】に
「イメージセンサ２０のＣＣＤレジスタから出力された電荷は、センサ２０の出力段で電荷量に応じたアナログ電圧信号に変換されて、Ａ／Ｄコンバータ６０に与えられる。Ａ／Ｄコンバータ６０は、駆動信号発生回路５８からの同期信号によりセンサ２０からの出力タイミングに同期して、センサ２０からのアナログ電圧信号を取り込み、これを多ビットのデジタルコードに変換する。このデジタルコードは画像処理制御部に送られ、ここで、スキャナで行われるべき周知のデジタル画像処理が実施されて、その結果のデジタル画像データがホストコンピュータ５２に返送される。」
　
　以上の記載よりみて、引用刊行物には、次の発明が記載されている。
「イメージセンサとこのイメージセンサ用の駆動装置とを備えた画像読取装置において、
　前記イメージセンサが、
イメージの対応色成分を表す多数の電荷を生成する多数のフォトダイオードの１次元アレイと、
この１次元アレイの一方の側に、このアレイに沿って、形成される電荷転送レジスタと、
前記１次元アレイと前記電荷転送レジスタとの間に配置されたトランスファゲートと、
１次元アレイの、他方の側に同様にそのアレイに沿って形成されたシャッタゲートと、シャッタ用ドレインと、
電荷転送レジスタに隣接して形成されたトリミグ用ゲートと、
前記トリミング用ゲートに隣接して形成されたトリミング用ドレインとを有し、
更に、隣接し合うモジュールの一方のシャッタ用ドレインが他方のトリミング用ドレインを兼ねているもので、
　前記駆動装置が、
　読み取るべきイメージに対応する電荷を前記電荷転送レジスタから出力するのに必要なクロック信号数の範囲で、前記電荷転送レジスタを駆動する手段と、
　前記電荷転送レジスタより前記読み取るべきイメージ領域に対応する電荷が全て出力され終わったときに、前記電荷転送レジスタ内の不要電荷を前記トリミング用ドレインに排出するために、前記トリミングゲートを開く手段とを有することを特徴とする画像読取装置。」
　
（３）対比
　そこで、本願発明と引用刊行物記載の発明を対比すると、
　引用刊行物記載の発明の「１次元アレイ」は、受光量に応じて電荷が蓄積されるものであるから、本願発明の「画情報を受けて所定の電荷を蓄積する画素部が複数並ぶ受光手段」に相当することは明かである。また、引用刊行物記載の発明の「電荷転送レジスタ」は、読み取るべきライン長に相当するフォトダイオードの個数だけ出力される高周波のクロック信号（ＣＬＫ）に同期して、受け取った電荷を後段へシリアル転送しつつ逐次に出力するものであるから、本願発明の「受光手段の各画素部に蓄積した電荷を得て順次出力回路方向へ転送する転送手段」に相当することは明かである。また、引用刊行物記載の発明の「トランスファゲート」は、ダイオードアレイに蓄積された電荷を電荷転送レジスタにパラレルに転送するものであるから、本願発明の「読み取り対象となる原稿の電荷を転送手段へ転送するよう受光手段の複数の画素部から転送手段への電荷読み出しを制御する読み出し手段」に相当するということができる。
　そうすると、引用刊行物記載の発明と本願発明とは、
「画情報を受けて所定の電荷を蓄積する画素部が複数並ぶ受光手段と、
　前記受光手段に沿って配置され、前記受光手段の各画素部に蓄積した電荷を得て順次出力回路方向へ転送する転送手段と、
　前記受光手段と前記転送手段との間に配置されるとともに、前記受光手段に沿って、読み取り対象となる原稿の電荷を前記転送手段へ転送するよう前記受光手段の複数の画素部から前記転送手段への電荷読み出しを制御する読み出し手段と、
　を備える画像読み取り装置。」
である点で、一致しており、次に各点で、相違しているものと認められる。
　
（相違点１）
　読み出し手段が、本願発明では、受光手段に沿って複数の制御領域に区分けされ、読み取り対象となる原稿のサイズに対応した電荷のみを転送手段へ転送するよう受光手段の複数の画素部から転送手段への電荷読み出しをその区分けに応じて制御するものであるのに対して、引用刊行物記載の発明では、区分けされることなく、１次元アレイに蓄積された電荷を電荷転送レジスタにパラレルに転送するものであって、読み取るべき領域のサイズに応じた電荷だけ電荷転送レジスタから出力するようにしたものである点。
（相違点２）
　本願発明では、「転送手段で転送された電荷に対応する信号の補正を、読み出し手段で電荷読み出しした区分けに応じて行う補正手段」を備えているのに対して、引用刊行物記載の発明では、そのような補正手段を明記していない点。
　
（４）当審の判断
　以下、前記相違点について検討する。
（相違点１について）
　引用刊行物記載の発明においても、ＣＬＫ信号は、読み取るべきライン長に相当するフォトダイオード個数だけ出力され、読み取るべきイメージ領域に対応する電荷が全て出力され終わったときに、電荷転送レジスタ内の不要な電荷をトリミング用ドレインに排出するために、電荷転送レジスタにより順次出力回路方向へ転送される電荷は、原稿のサイズに対応した電荷のみである［前記（ｇ）（ｈ）（ｉ）参照］。
　また、引用刊行物の、読取コマンドには、原稿台（図示せず）上のどの領域を読み取るかを指定するデータが含まれており、画像処理制御部５６は、そのデータに基づいて、ＴＧ信号の周期や出力個数、及び各周期でのＣＬＫ信号の出力個数などを決めている。
　したがって、読み取り対象となる原稿のサイズに対応した電荷のみを転送する点では、本願発明も引用刊行物のものも相違せず、上述したように、本願発明では、読み出し手段が、受光手段に沿って複数の制御領域に区分けされ、読み取り対象となる原稿のサイズに対応した電荷のみを転送手段へ転送するよう受光手段の複数の画素部から転送手段への電荷読み出しをその区分けに応じて制御するものであるのに対して、引用刊行物記載の発明では、区分けされることなく、１次元アレイに蓄積された電荷を電荷転送レジスタにパラレルに転送するものであって、読み取るべき領域のサイズに応じた電荷だけ電荷転送レジスタから出力するようにしたものである点で相違することとなる。
　しかし、原稿などの読み取りを行うときに、領域をあらかじめ決めて、必要な領域のみだけを読み取るようにすることは通常的に行われていることであり、読み取るべき電荷だけを出力するようにした、引用刊行物のものから、本願発明のように、読み出し手段を受光手段に沿って複数の制御領域に区分し、読み取り対象となる原稿のサイズに対応した電荷のみを転送手段へ転送するよう受光手段の複数の画素部から転送手段への電荷読み出しをその区分けに応じて制御するようにすることは、当業者が容易に考えられることと認められる。
　
（相違点２について）
　引用刊行物の段落【００２２】には、「このデジタルコードは画像処理制御部に送られ、ここで、スキャナで行われるべき周知のデジタル画像処理が実施され」と記載されているように、転送された電荷に対応する信号に処理を実施することが記載されており、さらに、画像読み取り装置において、照明光量の変化や配光特性のむら、画素部間感度のばらつき、さらには、蓄積される電荷の蓄積時間の長短に応じた出力の変化等を、転送手段で転送された電荷に対応する信号を補正することによって補正することは、周知技術（例えば、特開平７−６５１４７号公報参照）である。　したがって、読み出し手段の区分けに応じた電荷読み出しにおける感度の変化を、単に、転送手段で転送された電荷に対応する信号を補正する補正手段によって行うようにすることは、当業者が容易に想到できるものと認められる。
　
（５）むすび
　以上のとおり、本願発明は、引用刊行物記載の発明および周知技術に基づいて、当業者が容易に発明をすることができたものであるから、特許法第２９条第２項の規定により特許を受けることができないものである。
　よって、結論のとおり審決する。